(57)【要約】【課題】出力画像が、切り換えられた場合でも、適切に出力画像を表示させることが出来る。【解決手段】予め表示手段に表示された出力画像と、当該出力画像が表示手段に表示されていたときに表示手段にユーザにより描画された描画画像と、を対応付けて記憶する記憶手段と、情報処理装置から出力された出力画像と、記憶手段に記憶されている出力画像とが一致するか否かを判断する判断手段と、判断手段により、情報処理装置から出力された出力画像と、記憶手段に記憶されている出力画像とが一致しないと判断された場合には、情報処理装置から出力された出力画像を記憶手段に記憶させる記憶制御手段と、記憶制御手段により、記憶手段に記憶された出力画像を表示手段に表示させる表示制御手段と、を有する。【選択図】図７
2013137735.tif 000002
【特許請求の範囲】
【請求項１】
情報処理装置から出力された出力画像を表示手段に表示させる表示制御装置であって、
予め前記表示手段に表示された出力画像と、当該出力画像が前記表示手段に表示されていたときに前記表示手段にユーザにより描画された描画画像と、を対応付けて記憶する記憶手段と、
前記情報処理装置から出力された出力画像と、前記記憶手段に記憶されている出力画像とが一致するか否かを判断する判断手段と、
前記判断手段により、前記情報処理装置から出力された出力画像と、前記記憶手段に記憶されている出力画像とが一致しないと判断された場合には、当該情報処理装置から出力された出力画像を前記記憶手段に記憶させる記憶制御手段と、
前記記憶制御手段により、前記記憶手段に記憶された出力画像を前記表示手段に表示させる表示制御手段と、を有することを特徴とする表示制御装置。
【請求項２】
前記判断手段は、前記情報処理装置から出力された出力画像の前記表示領域内の位置と、前記記憶手段に記憶されている出力画像の前記表示領域内の位置と、が一致するか否かも判断し、
前記判断手段により、前記情報処理装置から出力された出力画像と、前記記憶手段に記憶されている出力画像とが一致し、かつ、前記情報処理装置から出力された出力画像の前記表示領域内の位置と、前記記憶手段に記憶されている出力画像の前記表示領域内の位置と、が一致しないと、判断された場合には、前記情報処理装置から出力された出力画像の前記表示領域内の位置と、前記記憶手段に記憶されている出力画像の前記表示領域内の位置との差分距離を算出する算出手段を有し、
前記表示制御手段は、当該情報処理装置から出力された出力画像と、当該出力画像が前記表示手段に表示されていたときに描画され、前記差分距離分移動させた描画画像とを前記表示手段に表示させる請求項１記載の表示制御装置。
【請求項３】
前記記憶制御手段は、前記判断手段により、前記情報処理装置から出力された出力画像と、前記記憶手段に記憶されている出力画像とが一致し、かつ、前記情報処理装置から出力された出力画像の前記表示領域内の位置と、前記記憶手段に記憶されている出力画像の前記表示領域内の位置と、が一致しないと、判断された場合には、当該記憶手段に記憶されている出力画像から、当該情報処理装置から出力された出力画像に更新し、当該記憶手段に記憶されている出力画像に対応する描画画像から、前記差分距離分移動させた描画画像に更新し、
前記表示制御手段は、前記記憶制御手段により、更新された出力画像と更新された描画画像とを表示させることを特徴とする請求項２記載の表示制御装置。
【請求項４】
前記判断手段により、前記情報処理装置から出力された出力画像と、前記記憶手段に記憶されている出力画像とが一致し、かつ、前記情報処理装置から出力された出力画像の前記表示領域内の位置と、前記記憶手段に記憶されている出力画像の前記表示領域内の位置と、が一致すると、判断された場合には、当該記憶手段に記憶されている出力画像と、当該出力画像と対応する描画画像とを前記表示手段に表示させる表示制御手段と、を有することを特徴とする請求項１〜３何れか１項記載の表示制御装置。
【請求項５】
前記記憶装置に記憶されている、出力画像と描画画像との対応は、所定の識別情報ごとに設けられていることを特徴とする請求項１〜４何れか１項記載の表示制御装置。
【請求項６】
前記判断手段は、所定時間ごとに、判断処理を行うことを特徴とする請求項１〜５何れか１項記載の表示制御装置。
【請求項７】
情報処理装置と、表示装置と、表示制御装置と、を含む表示システムであって、
前記表示制御装置は、
前記情報処理装置から出力された出力画像と、ユーザにより描画された描画画像と、を前記表示装置の表示領域に表示させる表示制御手段と、
予め前記表示領域に表示された出力画像と、当該出力画像が前記表示領域に表示されていたときに前記表示領域にユーザにより描画された描画画像と、を対応付けて記憶する記憶手段と、
前記情報処理装置から出力された出力画像と、前記記憶手段に記憶されている出力画像とが一致するか否かを判断する判断手段と、
前記判断手段により、前記情報処理装置から出力された出力画像と、前記記憶手段に記憶されている出力画像とが一致しないと判断された場合には、当該情報処理装置から出力された出力画像を前記記憶手段に記憶させる記憶制御手段と、を有し、
前記表示制御手段は、前記記憶制御手段により、前記記憶手段に記憶された出力画像を前記表示領域に表示させることを特徴とする表示システム。
【請求項８】
情報処理装置から出力された出力画像と、ユーザにより描画された描画画像と、を表示装置の表示領域に表示させる表示制御手段と、
予め前記表示領域に表示された出力画像と、当該出力画像が前記表示領域に表示されていたときに前記表示領域にユーザにより描画された描画画像と、を対応付けて記憶する記憶手段と、を含む表示制御装置を用いた表示制御方法であって、
前記情報処理装置から出力された出力画像と、前記記憶手段に記憶されている出力画像とが一致するか否かを判断する判断工程と、
前記判断手段により、前記情報処理装置から出力された出力画像と、前記記憶手段に記憶されている出力画像とが一致しないと判断された場合には、当該情報処理装置から出力された出力画像を前記記憶手段に記憶させる記憶制御工程と、
前記記憶制御手段により、前記記憶手段に記憶された出力画像を前記表示領域に表示させる表示制御工程と、を含むことを特徴とする表示制御方法。
【請求項９】
情報処理装置から出力された出力画像と、ユーザにより描画された描画画像と、を表示装置の表示領域に表示させる表示手段と、
予め前記表示領域に表示された出力画像と、当該出力画像が前記表示領域に表示されていたときに前記表示領域にユーザにより描画された描画画像と、を対応付けて記憶する記憶手段と、を含むコンピュータを、
前記情報処理装置から出力された出力画像と、前記記憶手段に記憶されている出力画像とが一致するか否かを判断する判断手段と、
前記判断手段により、前記情報処理装置から出力された出力画像と、前記記憶手段に記憶されている出力画像とが一致しないと判断された場合には、当該情報処理装置から出力された出力画像を前記記憶手段に記憶させる記憶制御手段と、
前記記憶制御手段により、前記記憶手段に記憶された出力画像を前記表示領域に表示させる表示制御手段と、して機能させるためのプログラム。
【発明の詳細な説明】
【技術分野】
【０００１】
本発明は、表示制御装置、表示制御方法、プログラム、表示システムに関する。
【背景技術】
【０００２】
従来から、会議などで用いられる様々な表示装置が提案されている（例えば、特許文献１参照）。当該表示装置は、例えばＰＣ（Ｐｅｒｓｏｎａｌ  Ｃｏｍｐｕｔｅｒ）等と接続され、当該ＰＣから表示装置へ出力画像を出力し、表示装置は、当該出力画像を表示する。更に、当該表示装置は、表示部分にユーザが描画により、文字や画像を書き加えることが出来る。これにより、ＰＣから出力画像に描画画像を重畳させて表示させることが出来る。
【発明の概要】
【発明が解決しようとする課題】
【０００３】
図１は、従来の問題点を説明するための図である。図１Ａに、ＰＣ２から表示装置１へ出力されている出力画像を示す。図１Ａの例では、ＰＣ２から表示装置１へ、円グラフの出力画像が出力されている。次に、図１Ｂに示すように、ユーザは、表示装置１に表示されている円グラフに対して、描画により「重要」という文字を書き加えたとする。
【０００４】
そして、図１Ｃに示すように、ユーザが、ＰＣから出力される出力画像を他の出力画像に切り換えたとする。図１Ｃの例では、「今日のまとめ・・・」という文字画像である。従来の技術では、切り換える前の描画画像「重要」が残存してしまい、適切に出力画像を表示できないという問題があった。
【０００５】
そこで、本発明では、このような問題を鑑みて、出力画像が、切り換えられた場合でも、適切に出力画像を表示することが出来る表示制御装置、表示制御方法、プログラム、表示システムを提供することを目的とする。
【課題を解決するための手段】
【０００６】
本発明では、情報処理装置から出力された出力画像を表示手段に表示させる表示制御装置であって、予め前記表示手段に表示された出力画像と、当該出力画像が前記表示手段に表示されていたときに前記表示手段にユーザにより描画された描画画像と、を対応付けて記憶する記憶手段と、前記情報処理装置から出力された出力画像と、前記記憶手段に記憶されている出力画像とが一致するか否かを判断する判断手段と、前記判断手段により、前記情報処理装置から出力された出力画像と、前記記憶手段に記憶されている出力画像とが一致しないと判断された場合には、当該情報処理装置から出力された出力画像を前記記憶手段に記憶させる記憶制御手段と、前記記憶制御手段により、前記記憶手段に記憶された出力画像を前記表示手段に表示させる表示制御手段と、を有する。
【発明の効果】
【０００７】
本発明の表示制御装置、表示制御方法、プログラム、表示システムであれば、出力画像が、切り換えられた場合でも、適切に出力画像を表示させることが出来る。
【図面の簡単な説明】
【０００８】
【図１】従来の問題点を説明するための図。
【図２】本実施形態の表示システムの機能構成例を示す図。
【図３】本実施形態の表示制御装置の斜視図を示す図。
【図４】本実施形態の表示制御装置のハードウェア構成例を示す図。
【図５】本実施形態の表示制御装置のハードウェア構成例を示す図。
【図６】本実施形態の制御手段の機能構成例を示す図。
【図７】本実施形態の表示制御装置の処理フローを示す図。
【図８】本実施形態の表示画像リストの一例を示す図。
【図９】本実施形態の出力画像などの一例を示す図。
【図１０】別の実施形態の表示画像リストの一例を示す図。
【図１１】別の実施形態の表示画像リストの一例を示す図。
【図１２】別の実施形態の表示画像リストの一例を示す図。
【図１３】別の実施形態の出力画像の一例を示す図。
【図１４】別の実施形態の制御手段の機能構成例を示す図。
【図１５】別の実施形態の表示画像リストの一例を示す図。
【図１６】ユーザＩＤと表示画像リストの対応の一例を示す図。
【図１７】本実施形態の判断ブロックの一例を示す図。
【図１８】別の実施形態の表示画像リストの一例を示す図。
【図１９】検査領域の一例を示す図。
【図２０】本実施形態の画像レイヤの一例を示す図。
【図２１】別の実施形態の出力画像の一例を示す図。
【発明を実施するための形態】
【０００９】
以下の各実施形態において、機能構成例、処理フローの説明では、同じ処理については、同じ参照番号、同じステップ番号を付加し、重複説明を省略する。
＜実施形態１＞
図２に、本実施例の表示システム１０００の機能構成例を示す。図２に示すように、本実施例の表示システム１０００は、情報処理装置１００と表示制御装置２００と、を含む。情報処理装置１００とは、例えば、ＰＣ、タブレット、スマートフォンなどをいう。情報処理装置１００に対して、ユーザにより出力指示が入力されることにより、情報処理装置１００から画像（以下、「出力画像」という。）が表示制御装置２００に対して出力される。画像とは、文字、図形、パターン、またはこれらの組み合わせをいう。また、情報処理装置１００が出力画像を出力し続けている間は、表示制御装置２００は、当該出力画像を表示し続ける。
【００１０】
また、本実施例の表示制御装置２００、および、表示システム１０００は、会議で用いられることが好ましい。以下の説明では、当該表示制御装置２００が会議で用いられるものとして説明する。
【００１１】
図３に、表示制御装置２００を前方側から見た斜視図の一例を示す。表示手段２０２は、表示領域２０２ａを有し、当該表示領域２０２ａに情報処理装置１００からの出力画像を表示する。
【００１２】
表示手段２０２は、例えば、液晶やプラズマなどのフラットパネルやプロジェクタであり、通常、４０インチ〜６０インチ程度のサイズを有し、タッチパネル機能を有する。そして、ユーザ（例えば、会議の発表者）は、描画手段により、表示手段２０２に対して描画することが出来る。また、表示手段２０２に出力画像が表示されている場合には、ユーザは当該出力画像に重畳させて、様々な情報を描画することが出来る。ここで、描画手段とは、例えば、ユーザの指、スタイラスペン、後述する図４に示す操作手段２６２（マウスやキーボード）などである。以下の説明では、当該描画された画像を描画画像という。
【００１３】
載置台２０４には、表示制御装置２００に様々な情報を入力するための操作手段２６２（後述する図４参照、例えば、マウスやキーボード）が、使用可能な状態で載置できる。またプリンタ収容手段２０６の前面は扉形状になっており、扉を開いて表示手段２０２に表示された出力画像や描画画像を印刷することが出来るプリンタ（図示せず）が収容させることが出来る。
【００１４】
また、ビデオ収容手段２０８の前面は扉形状になっており、扉を開いて、ビデオテープやレーザディスクなどを挿入・抜去することが出来る。また、コンピュータ収容手段２１０は、前面が扉形状になっており、扉を開いてコンピュータ（後述する図４の制御手段２５０、主記憶手段２５２、補助記憶手段２５４などに相当）が収容させることが出来る。また表示制御装置２００の最下部には、キャスター２１２が設けられており、ユーザの所望の場所に移動させることが出来る。
【００１５】
図４に、本実施形態の表示制御装置２００のハードウェア機能構成例を示す。図４に示すように、本実施例の表示制御装置２００は、制御手段２５０、主記憶手段２５２、補助記憶手段２５４、外部記憶装置Ｉ／Ｆ手段２５６、外部機器接続Ｉ／Ｆ手段２６０、ネットワークＩ／Ｆ手段２６０、操作手段２６２、表示手段２０２を含む。
【００１６】
制御手段２５０は、コンピュータ（図２記載のコンピュータ収容手段２１０に収容されている）の中で、各装置の制御やデータの演算、加工を行う。また、制御手段２５０は、主記憶手段２５２に記憶されたプログラムを実行する演算装置であり、外部からデータを受け取り、演算、加工した上で、当該データを出力する。
【００１７】
主記憶手段２５２は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などであり、制御手段２５０が実行する基本ソフトウェアであるＯＳやアプリケーションソフトウェアなどのプログラムやデータを記憶又は一時保存する記憶装置である。
【００１８】
補助記憶手段２５４は、ＨＤＤ（Ｈａｒｄ  Ｄｉｓｋ  Ｄｒｉｖｅ）などであり、アプリケーションソフトウェアなどに関連するデータを記憶する記憶装置である。外部記憶装置Ｉ／Ｆ手段２５６は、ＵＳＢ（Ｕｎｉｖｅｒｓａｌ  Ｓｅｒｉａｌ  Ｂｕｓ）などのデータ伝送路を介して接続された記憶媒体２５８（例えば、ＵＳＢメモリやＣＤ−ＲＯＭなど）と表示制御装置２００とのインタフェースである。
【００１９】
また、記憶媒体２５８に、所定のプログラムを格納し、この記憶媒体２５８に格納されたプログラムは外部記憶装置Ｉ／Ｆ手段２５６を介して表示制御装置２００にインストールされ、インストールされた所定のプログラムは表示制御装置により実行可能となる。
【００２０】
外部機器接続Ｉ／Ｆ手段２５９は、図２に示す情報処理装置１００（例えば、ＰＣ：Ｐｅｒｓｏｎａｌ  Ｃｏｍｐｕｔｅｒ）などの外部機器を接続するためのインタフェースであり、ＶＧＡ（Ｖｉｄｅｏ  Ｇｒａｐｈｉｃｓ  Ａｒｒａｙ）入力コネクタやＵＳＢ（Ｕｎｉｖｅｒｓａｌ  Ｓｅｒｉａｌ  Ｂｕｓ）ポートなどの物理インタフェースである。
【００２１】
ネットワークＩ／Ｆ手段２６０は、有線及び／又は無線回線などのデータ伝送路により構築されたＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワークを介して接続された情報処理装置１００と表示制御装置２００とのインタフェースの役割を果たす。
【００２２】
上述のように、操作手段２６２は、例えば、キーボードやマウスであり、ユーザにより様々な指令が入力される。例えば、表示制御装置２００が保持しているアプリケーションを起動・終了させたりすることが出来る。表示手段２０２は、上述した通りである。
【００２３】
次に本実施形態の表示制御装置２００のハードウェア機能構成の別の例について説明する。図５は、本実施形態の表示制御装置２００のハードウェア機能構成の別の例を示す。図５に示す表示制御装置２００は、制御手段２５０、主記憶手段２５２、補助記憶手段２５４、外部記憶装置Ｉ／Ｆ手段２５６、外部機器接続Ｉ／Ｆ手段２６０、ネットワークＩ／Ｆ手段２６０、操作手段２６２、タッチパネルドライバ２６４を含む。
【００２４】
図５の例では、表示手段２０２は、外部機器として外部機器接続I/F手段２５９を介して表示制御装置２００と接続されている。また本実施形態の表示制御装置２００には、タッチパネルドライバ２６４を介してタッチパネル２６６が接続される。
【００２５】
タッチパネル２６６は、表示手段２０２のタッチパネル機能を実現するものである。タッチパネル２６６は、受信部２６８を有する。受信部２６８は、描画装置２７０から無線信号を受信する。描画装置２７０は、例えば電子ペン等であり、タッチパネル２６６に対する操作によって描画画像を生成したり、表示された画像を選択したりすることが可能である。例えば受信部２６８は、描画装置２７０から接触したことを示す信号を受信する。
【００２６】
タッチパネル２６６は、表示手段２０２と重なるように配置されている。タッチパネル２６６に対する描画装置２７０の操作により画像が描画されると、描画された画像は表示手段２０２に表示された出力画像とともに表示手段に表示される。
【００２７】
尚図５の例では、描画装置２７０と受信部２６８とは無線で通信するものとしたが、有線の通信であっても良い。また図５の例では、タッチパネル２６６に描画装置２７０で描画するものとして説明したが、例えばユーザの指等を検知することにより描画画像を生成させても良い。
【００２８】
図５の例において、表示手段２０２は、例えば液晶やプラズマなどのフラットパネルやプロジェクタ等の投影装置であっても良い。
【００２９】
図６に、制御手段２５０の機能構成例を示し、図７に本実施例の表示制御装置２００の処理フローを示す。図７の処理は、所定時間ｔ（例えば、１０ｍｓｅｃ）ごとに行なわれる。
まず、ユーザは会議が開始されたことを表示制御装置２００に認識させる。
【００３０】
ここで、会議開始の認識とは、表示制御装置２００にダウンロードされている、本実施形態の機能を実行するためのアプリケーションを起動された場合に、表示制御装置２００は、会議が開始されたことを認識するようにしてもよい。また、表示制御装置２００の主電源がオンにされた場合に、表示制御装置２００は、会議が開始されたことを認識するようにしても良い。
＜１回目の処理＞
まず、会議開始直後（表示制御装置２００が会議が開始されたことを認識した時から所定時間ｔ（例えば、１０ｍｓｅｃ）経過時の処理、以下「１回目の処理」ともいう）について説明する。表示制御装置２００が、会議が開始されたことを認識すると、ステップＳ７１において、判断手段３００が、記憶手段２５２（例えば、図４記載の主記憶手段２５２）に記憶出力画像が記憶されているか否かを判断する。
【００３１】
本実施形態の表示制御装置２００では、後述するように、外部機器接続Ｉ／Ｆ手段２５９またはネットワークＩ／Ｆ手段２６０経由で情報処理装置１００から出力された出力画像を記憶手段２５２に随時記憶していく。以下では、記憶手段２５２に記憶されている出力画像を「記憶出力画像」といい、情報処理装置１００から出力された画像を「出力画像」という。
【００３２】
現段階では、記憶出力画像は記憶手段２５２に記憶されていない。従って、ステップＳ７１では、判断手段３００は、記憶出力画像が記憶されていない、と判断し（ステップＳ７１のＮｏ）、ステップＳ７３に移行する。
【００３３】
ステップＳ７３では、記憶制御手段３０４は、出力画像をキャプチャして、記憶出力画像として記憶手段２５２に記憶させる。図８に、記憶手段２５２による出力画像の記憶の手法を模式的に示す。表示画像とは、表示手段に表示された出力画像と、ユーザにより当該出力画像に重畳させて描画された描画画像と、を含むものである。
【００３４】
図８の例では、未だ、ユーザにより描画画像が描画されていないことから、表示画像１としては、描画画像は記憶されず、出力画像のみが記憶されている。図８の例では、出力画像の記憶手段２５２の参照アドレス（記憶先アドレス）と、出力画像の表示サイズが示されている。表示サイズは、画像の縦（ｈｅｉｇｈｔ）、画像の横（ｗｉｄｔｈ）のピクセル数で定められる。
【００３５】
そして、ステップＳ７４では、表示制御手段３０２は、出力画像Ｘと同一の記憶出力画像Ｘ（図８参照）を合成画像とする。ここでは、記憶出力画像Ｘに対応する描画画像は記憶されていないことから、当該記憶出力画像Ｘのみが合成画像とされる。そして、ステップＳ７５では、表示制御手段３０２は、当該記憶出力画像を表示手段２０２に表示させ、処理を終了する。なお、ステップＳ７４では、表示制御手段３０２は、記憶出力画像Ｘと描画画像（ただし、ＮＵＬＬ画像）とを合成して、合成画像としてもよい。
【００３６】
図９に、情報処理装置から出力された出力画像と、表示手段２０２の表示領域２０２ａに表示される出力画像と、を示す。図９Ａに、最初の出力画像Ｘ（図９Ａの例では、円グラフの画像）が出力され、ステップＳ７１→Ｓ７３→Ｓ７４→Ｓ７５の処理を行なった場合に表示領域２０２ａに出力画像Ｘが表示されていることを示す。
【００３７】
また、上述のように、図７の処理は、所定時間経過ごとに行なわれるものであることから、所定時間経過後（例えば、１０ｍｓｅｃ経過後）に、ステップＳ７１の処理が再び開始される。
＜２回目以降の処理＞
次に、２回目以降の処理（上記１回目の処理が終了した時から所定時間ｔ経過時の処理）について説明する。この時点では、図９Ａに示すように、情報処理装置１００は、出力画像Ｘを表示制御装置２００に対して出力しているとする。
【００３８】
ステップＳ７１において、判断手段３００は、記憶手段２５２に記憶出力画像が記憶されているか否かを判断する。ここで、ステップＳ７３において、記憶出力画像Ｘが記憶されていることから、ステップＳ７１ではＹｅｓと判断される。
【００３９】
次に、ステップＳ７２において、判断手段３００は、出力画像と、記憶出力画像とが一致するか否か、および、出力画像位置と記憶出力画像位置とが一致するか否かを判断する。ここで、「出力画像と、記憶出力画像とが一致するか否かの判断」を第１判断とする。また、「出力画像位置と記憶出力画像位置とが一致するか否かの判断」を第２判断とする。出力画像位置とは、表示手段２０２の表示領域２０２ａに対する出力画像の位置をいう。また、判断手段３００の判断処理については後述する。
【００４０】
また、第２判断で一致しない（つまり、出力画像位置と記憶出力画像位置とが一致しない）と判断されるということは、出力され続けている画像が、スクロールされた場合などである。当該スクロールはユーザが、情報処理装置１００で行なう（例えば、マウスによるドラッグアンドドロップ処理や、ウインドウのスクロール処理）ようにしてもよい。また、表示手段２０２のタッチパネル機能を活かしてユーザが表示手段に対してスクロール処理（ユーザの指によるスライド処理）を行なうようにしてもよい。
【００４１】
ここでは、上述のステップＳ７３で、図８に示すように、出力画像（円グラフの画像）が記憶されている。一方、情報処理装置１００から出力されている出力画像Ｘ（円グラフの画像）は、変更されておらず、かつ、ユーザは当該出力画像Ｘをスクロールさせてはいない。従って、ステップＳ７２ではＹｅｓと判断され、ステップＳ７６に移行する。
【００４２】
ステップＳ７６では、記憶制御手段３０４は、描画画像があれば、同一と判断された記憶出力画像に対応付けて、記憶手段２５２に記憶させる。ここで、上述したように、描画画像とは、ユーザ（発表者）により表示手段２０２に対して、描画手段（指やスタイラスペンなど）により描画される画像である。
【００４３】
また、描画されたか否かの検出は、検出手段３０６が行なう。検出手段３０６は、描画手段が、表示手段２０２に対しての接触を検出すれば、描画されたことを検出する。ここでは、ユーザにより表示手段２０２に対して描画されていないことから、ステップＳ７６の処理は行なわれない。その後、ステップＳ７７に移行する。また、検出手段３０６は、描画された座標（つまり、描画画像の座標）を検出する。
【００４４】
ステップＳ７７では、表示制御手段３０２は、同一と判断された記憶出力画像（この例では、図８に示す出力画像Ｘ）と、当該記憶出力画像と対応する描画画像を合成する。ここでは、当該記憶出力画像と対応する描画画像は記憶されていないことから、記憶出力画像Ｘを合成画像とする。
【００４５】
そして、ステップＳ７５で、表示制御手段３０２は、合成画像（記憶出力画像Ｘ）を表示する。当該ステップＳ７５が終了した時点での情報処理装置１００が出力している出力画像と、表示制御装置２００に表示されている出力画像とは、図９Ａに示すままである。
＜ユーザにより、描画画像が描画された場合の処理＞
次に、ユーザにより、図９Ｂに示すように、表示手段２０２に表示されている出力画像Ｘに対して、描画画像ｘが描画されたとする。図９Ｂの例に示す描画画像ｘは、「重要」という文字と、「波線」である。ユーザにより、描画画像ｘが描画された場合の図７の処理フローの流れについて説明する。
【００４６】
まず、ステップＳ７１では、判断手段３００は、記憶出力画像が記憶されていることから、Ｙｅｓと判断する。次に、判断手段３００は、第１判断（出力画像（円グラフ）と、記憶出力画像とが一致するか否かの判断）については、「一致する」と判断する。更に、判断手段３００は、第２判断（出力画像位置と記憶出力画像位置とが一致するか否かの判断）については、「一致する」と判断する。そして、ステップＳ７６に移行する。
【００４７】
次に、ステップＳ７６では、記憶制御手段３０４は、描画画像があれば、同一と判断された記憶出力画像に対応付けて、記憶させる。ここで、図９Ｂに示すように、記憶制御手段３０４は、描画画像が存在することから、同一と判断された記憶出力画像に対応付けて記憶させる。
【００４８】
図１０に、図８記載の出力画像Ｘに対して、新たに、２つの描画画像ｘ１、ｘ２が対応付けられて、記憶されたことを模式的に示す。図１０の例では、１つの描画画像ｘｎ（ｎは自然数）は１ストロークの描画画像であるとする。ここで、１ストロークの描画画像とは、描画手段（ユーザの指やスタイラスペンなど）が表示手段２０２に対して接触された時から、当該接触された描画手段が表示手段２０２に対して非接触になった時までに、描画された画像をいう。
【００４９】
また、図１０の例では、描画画像ｘｎとして、特徴量と識別ＩＤを記憶する。図１０の例では、特徴量とは、ＲＧＢ値と、線の幅と、座標とする。座標は、描画開始点の、表示領域２０２ａのピクセルの横と縦の位置である。なお、図１０の例では、１ストロークごとの描画画像について示しているが、上述のように、図７の処理は、所定時間（１０ｍｓｅｃ）ごとに行なわれることから、実際は、当該所定時間の間に描画された描画画像が随時記憶されるようになる。
【００５０】
なお、図９Ｂの例では、描画画像ｘが、「〜」「重要」という画像であり、当該描画画像ｘは、１９ストローク（１９画）で構成されている。従って、実際には、１９個の描画画像ｘ１〜ｘ１９が、出力画像Ｘに対応付けて記憶される。
【００５１】
そして、表示制御手段３０２は、ステップＳ７２で、同一と判断された記憶出力画像Ｘと、当該記憶出力画像Ｘと対応する描画画像とを合成して合成画像とする（ステップＳ７７）。そして、表示制御手段３０２は、当該合成画像を表示手段２０２に表示させる（ステップＳ７５）。そうすると、図９Ｂに示すように、表示手段２０２は、出力画像Ｘと、描画画像ｘとを合成して表示することが出来る。
＜ユーザにより、出力画像が切り換えられた場合の処理＞
次に、図９Ｃに示すように、ユーザ（会議の発表者）が情報処理装置１００から出力される出力画像を切り換えた（変更した）場合の図７の処理フローについて説明する。図９の例では、ユーザは、「円グラフ」の出力画像Ｘから、「今日のまとめ・・・」という文書画像の出力画像Ｙに切り換えている。
【００５２】
まずステップＳ７１では、既に、出力画像Ｘが記憶されていることから、判断手段３００は、Ｙｅｓと判断する。上述のように、ステップＳ７２では、判断手段３００は、第１判断（出力画像と記憶出力画像とが同一であるか否かの判断）を行なう。ここで、未だ、出力画像Ｙは、記憶手段２５２に記憶されていないことから、判断手段３００は、「出力画像と記憶出力画像とが異なる」と判断し、ステップＳ７３に移行する。
【００５３】
ステップＳ７３では、記憶制御手段３０４は、新たに、切り替え後の出力画像Ｙを記憶手段２５２に記憶させる。図１１に、表示画像２として、新たな記憶出力画像Ｙを記憶させたことを模式的に示す。そして、ステップＳ７４では、表示制御手段３０２は、情報処理装置１００から出力された出力画像Ｙと同一の記憶出力画像Ｙ（つまり、新たに、記憶された記憶出力画像Ｙ）を合成画像とする。そして、表示制御手段３０２は当該合成画像（つまり、記憶出力画像Ｙ）を表示させる。
【００５４】
このように、記憶手段２５２には、１つの会議などにおいて、過去に表示された出力画像、または／および、描画画像が追加記憶される。また、記憶手段２５２には、記憶出力画像について０以上の描画情報が対応付けて記憶される。
【００５５】
次に、ユーザが、情報処理装置１００からの出力画像を前の状態に戻した場合について説明する。例えば、図９Ｃの状態から、図９Ｂの状態に戻した場合（つまり、出力画像Ｙ→出力画像Ｘに切り換えた場合）について説明する。この場合には、ステップＳ７１ではＹｅｓと判断され、ステップＳ７２ではＹｅｓと判断される。そして、ステップＳ７６では、描画画像がないことから、処理が行なわれずに、ステップＳ７７に移行する。
【００５６】
ステップＳ７７では、表示制御手段３０２は、ステップＳ７２で同一と判断された記憶出力画像（図１１記載の記憶出力画像Ｘ）と、当該記憶出力画像に対応する描画画像（図１１記載の描画画像ｘ１、ｘ２）とを合成して（ステップＳ７７）、当該合成画像を表示手段２０２に表示させる。従って、過去に出力した出力画像に切り換えた（戻った）場合であっても、当該過去に出力した出力画像とともに、当該出力画像に対応する描画画像も表示手段２０２に表示させることが出来る。
【００５７】
また、図９Ｃの状態で、ユーザが、出力画像Ｙに対して、描画画像ｙ（図示せず）を描画した場合には、Ｓ７６の処理を行なうことで、図１２に示すように、記憶制御手段３０４は、表示画像２として、記憶出力画像Ｙと描画画像ｙ１とを対応付けて記憶させる。そして、ステップＳ７７、Ｓ７５の処理で、表示制御手段３０２は、記憶出力画像Ｙと描画画像ｙ１とを合成して、表示手段２０２に表示させる。
【００５８】
また、表示手段２０２に表示された、情報処理装置１００が出力した出力画像に対して、ユーザは描画を行なわずに、次の出力画像に切り換えた場合には、記憶手段２５２には、切り換え前の出力画像に対しては、描画画像は記憶されない。
【００５９】
また、図７記載の他の処理については、以降の実施形態２で説明する。
【００６０】
本実施形態１の表示制御装置２００による２つの効果を説明する。１つ目の効果として、判断手段３００は、情報処理装置１００から出力された出力画像と、記憶手段２５２に記憶されていた記憶出力画像とが同一か否かを判断する。そして、図９Ｂに示すように、出力画像Ｘに対して描画画像ｘが描画された状態で、図９Ｃに示すように、ユーザにより出力画像Ｘから出力画像Ｙに切り換えられた場合には、判断手段３００は、情報処理装置１００からの出力画像と、記憶手段に記憶されている記憶出力画像とが同一ではないと判断する（ステップＳ７３に移行）。そして、ステップＳ７３、Ｓ７４、Ｓ７５の処理により、切り換え後の出力画像Ｙを表示させる。
【００６１】
従って、図１Ｂ、Ｃに示すように、出力画像Ｘから出力画像Ｙに切り換えられた場合でも、切り換え前の出力画像Ｘに描画された描画画像ｘを残存させずに、出力画像Ｙを表示させることが出来る。従って、出力画像が切り換えられたとしても、適切に、出力画像を表示させることが出来る。
【００６２】
次に、２つ目の効果を説明する。図９Ｂの状態（出力画像Ｘおよび描画画像ｘが表示されている状態）→図９Ｃの状態（出力画像Ｙが表示されている状態）→ユーザが、出力画像Ｘを情報処理装置１００から出力させた状態、になった場合に、当該２つ目の効果を奏する。この場合には、ステップＳ７１→ステップＳ７２→ステップＳ７６→ステップＳ７７の処理を行なうことから、切り替え後の出力画像Ｘのみではなく、当該出力画像Ｘが表示されていた際に描画された描画画像ｘも表示することが出来る。従って、会議の発表者、参加者などは、切り換えを戻した出力画像のみではなく、当該出力画像の描画画像についても閲覧することが出来る。
［実施形態２］
次に、実施形態２について説明する。例えば、図１３Ａ（図９Ｂと同じ状態）である場合に、会議の流れなどにより、ユーザが画像Ｘをスクロール移動させる場合がある。当該スクロール移動は、情報処理装置１００で行なってもよいし、ユーザが表示手段に対してドラッグアンドドロップ処理により、行うようにしてもよい。スクロール移動させた出力画像Ｘを出力画像Ｘ'とする。図１３Ｂに、表示されている出力画像Ｘ'などを示す。
【００６３】
図１３Ｂに示す例では、出力画像Ｘのスクロール移動と共に、描画画像ｘが追従していない。従って、スクロール移動された出力画像Ｘ'と、描画画像ｘとはお互いにずれた位置関係になり、会議に支障が生じたりする。そこで、実施形態２では、図１３Ｃに示すように出力画像Ｘがスクロール移動された場合でも、当該描画画像ｘを当該スクロール移動に追従するようにする。
【００６４】
また、図１４に、実施形態２の制御手段２５０の機能構成例を示す。図１４を図６と比較すると、算出手段３０８が追加されている点で異なる。
【００６５】
ユーザにより出力画像Ｘ（図１３Ａの状態）がスクロール移動されて出力画像Ｘ'（図１３Ｂや図１３Ｃの状態）になった直後の図７の処理フローについて説明する。また、記憶手段２５２に記憶されている表示画像リストの状態は図１０に示すものとする。
【００６６】
まず、ステップＳ７１ではＹｅｓと判断される。次にステップＳ７２において、判断手段３００は、第１判断、第２判断を行なう。ここでは、判断手段３００は、出力画像Ｘ'と、記憶出力画像Ｘとについて第１判断、第２判断を行なう。そうすると、第１判断（出力画像と、記憶出力画像とが一致するか否かの判断）では、一致すると判断する。一方、出力画像Ｘ'と記憶出力画像Ｘとは、表示領域２０２ａに対する位置が異なっているので、第２判断（出力画像位置と記憶出力画像位置とが一致するか否かの判断）では一致しないと判断する。そして、ステップＳ７８に移行する。
【００６７】
ステップＳ７８では、算出手段３０８は、出力画像Ｘ'の位置と、記憶出力画像Ｘの位置との差分、つまり、スクロール移動された差分距離ｄを算出する。算出手段３０８の算出手法例は後述する。また、差分距離ｄは、Ｘ軸方向の距離成分とＹ軸方向の距離成分とから構成される。
【００６８】
次に、記憶制御手段３０４は、記憶出力画像Ｘから、記憶出力画像Ｘ'に更新する。また、記憶制御手段３０４は、記憶描画画像ｘから、記憶描画画像ｘ'に更新する。ここで、記憶描画画像ｘから、記憶描画画像ｘ'への更新とは、描画画像ｘを、差分距離ｄ分移動させることである。
【００６９】
ここで、算出手段３０８により算出された差分距離ｄは、Ｘ軸方向、Ｙ軸方向共に＋１０であるとする。そうすると、図１５に示すように、図１０と比較すると、記憶出力画像Ｘ→記憶出力画像Ｘ'、描画画像ｘ１→描画画像ｘ１'、描画画像ｘ２→描画画像ｘ２'、となる。また、描画画像ｘ１'、描画画像ｘ２'のＸ軸座標、Ｙ軸座標もそれぞれ＋１０、＋１０されている。
【００７０】
そして、ステップＳ８０において。表示制御手段３０２は、更新された記憶出力画像Ｘ'と、更新された記憶描画画像ｘ'（差分距離ｄ移動された記憶描画画像）とを合成して、合成画像とする。そして、ステップＳ７５において、表示制御手段３０２は、当該合成画像を表示手段２０２に表示させる。
【００７１】
つまり、ステップＳ７８、Ｓ７９、Ｓ８０の処理を行なうことで、スクロール移動された出力画像と、当該スクロール移動による差分距離ｄを移動させた描画画像と、が表示手段２０２に表示される。従って、ユーザが出力画像をスクロールさせたとしても（出力画像Ｘ→出力画像Ｘ'）、当該出力画像に対応する描画画像を追従させることが出来る（描画画像ｘ→描画画像ｘ'）。
【００７２】
このように、ステップＳ７９で、記憶制御手段３０４は、出力画像がスクロール移動された場合に、記憶出力画像Ｘから記憶出力画像Ｘ'に更新する。また、記憶描画画像ｘから、記憶描画画像ｘ'に更新する。そして、当該更新後の記憶出力画像、および、記憶描画画像を用いて、合成画像を生成する手法を第１手法とする。
【００７３】
また、第２手法として、表示制御手段３０２は、ステップＳ７９の処理を行なわずに、検出手段３０６が、出力画像がスクロールされたことを検知し、算出手段３０８が、当該スクロールの差分距離ｄを算出する。そして、表示制御手段３０２が、スクロールされた出力画像と、当該出力画像が表示されたときに描画され、差分距離ｄを移動させた描画画像と、を表示手段２０２に表示させるようにしてもよい。
【００７４】
検出手段３０６が、出力画像がスクロール移動されたことを検出するために、情報処理装置１００は、当該出力画像がスクロール移動されたことを示すスクロール移動信号を表示制御装置２００に送信する構成にする必要がある。
【００７５】
第１手法の場合には、情報処理装置１００を「スクロール移動信号を送信する構成」にする必要はなく、判断手段３００が、出力画像と、記憶出力画像とが同一か否かの判断を行なうのみで、描画画像を追従させることが出来る。
【００７６】
また、第２手法の場合には、ステップＳ７９の処理を行なわずに、描画画像を追従させることが出来る。
【００７７】
この実施形態２の表示制御装置であれば、出力画像がスクロール移動されたとしても、当該出力画像が表示手段２０２に表示されていたときに描画された描画画像を当該スクロールに追従させることが出来る。
［実施形態３］
次に実施形態３について説明する。実施形態３では、図８に記載のような表示画像リストについて説明する。表示画像リストは、１つの会議ごとに作成するようにしてもよい。ここで、１つの会議とは、会議の開始から、当該会議の終了までをいう。会議の開始とは、表示制御装置２００にダウンロードされている、本実施形態の機能を実行するためのアプリケーションを起動された場合や表示制御装置２００の主電源がオンにされた場合などである。また、会議の終了とは、当該アプリケーションが終了された場合や、主電源がオフになった場合である。
【００７８】
１つの会議ごとに表示画像リストを作成し、当該会議が終了すると、当該作成された表示画像リストを消去する。このようにすることで、記憶手段２５２の記憶コストを削減することが出来る。
【００７９】
また、表示画像リストを１会議ごとに消去するのではなく、アーカイブとして、所定の識別情報ごとに記憶させるようにしてもよい。所定の識別情報とは、例えば、「ユーザＩＤ」や「会議が行われた日付」などである。図１６にユーザＩＤと表示画像リストとを対応付けて記憶している例である。このように、ユーザＩＤごとや会議の日付ごとに表示画像リストを対応付けておくことで、過去の会議の出力画像、および、当該出力画像が表示されていたときに描画された描画画像とを、閲覧することが出来る。
【００８０】
更に、ユーザＩＤごとに表示画像リストを対応付けておくと、他のユーザに過去の会議が、閲覧されないという点から、セキュリティ性も担保される。
［実施形態４］
実施形態４では、判断手段３００による判断タイミングについて説明する。判断手段３００は、（ｉ）所定時間ｔごとにステップＳ７２の判断を行なうようにしてもよく、（ｉｉ）出力画像が切り換えられた時（例えば、図９Ｂから図９Ｃに切り換えられた時）にステップＳ７２の判断を行なうようにしてもよい。
【００８１】
また、表示制御装置２００に、出力画像が切り換えられたことを認識させるためには、情報処理装置１００の構成を、出力画像が切り換えられた場合に、出力画像が切り換えられたことを示す画像切替信号を表示制御装置２００に対して送信する構成にする必要がある。
【００８２】
判断手段３００の判断タイミングを（ｉ）所定時間ｔごとにステップＳ７２の判断を行なうようにすることで、画像切替信号を送信する構成にする必要はなくなる。また、判断手段３００の判断タイミングを判断手段３００の判断タイミングを（ｉｉ）出力画像が切り換えられた時にすることで、判断処理の回数を削減することが出来る。
［判断手段３００による判断処理］
次に、判断手段３００による判断手法の一例を説明する。本実施形態では、判断手法として正規化相関法を用いる。図１７に判断手段３００の判断処理の一例を模式的に示す。図１７に示すように、判断手段３００は、出力画像と記憶出力画像との同一か否かの判断は、判断ブロックを用いて行う。判断ブロックとは、Ｎ×Ｍ（Ｎ、Ｍともに自然数）個の画素から構成されるものであり、出力画像および記憶出力画像に対して、設けるものである。そして、判断手段３００は、判断ブロックを構成する画素の特徴量（例えば、ＲＧＢ量）が、同一か否かを判断する。
【００８３】
図１７の例では、判断ブロックを、出力画像および記憶出力画像ともに、座標（０、０）の位置に配置させ、両者の判断ブロックの特徴量が同一か否かを判断する。特徴量が同一か否かの判断が終了すると、両者の判断ブロックをＸ軸方向にＮ個移動させる。そして、判断手段３００は、同様に特徴量が同一か否かを判断する。
【００８４】
判断ブロックの特徴量の判断処理、および、判断ブロックの移動処理を繰り返すことで出力画像及び記憶出力画像の全ての領域について、判断を行なう。そして、全ての領域について、特徴量の判断処理が終了するすると、両者の特徴量が同一である判断ブロックの数を計測する。両者の特徴量が同一である判断ブロックの数が、両者の一致度合いを示す一致度となる。
【００８５】
そして、判断手段３００は、一致度（両者の特徴量が同一である判断ブロック）が予め定められた閾値以上であるか否かを判断する。ここで、閾値の定め方として、全ての判断ブロックの個数Ｓとしてもよく、当該個数Ｓよりも若干少ない数（例えば、Ｓ−１）としてもよい。出力画像および記録出力画像がＮａｌｌ×Ｍａｌｌ個からなるとすると、
Ｓ＝（Ｎａｌｌ×Ｍａｌｌ）÷（Ｎ×Ｍ）
となる。
【００８６】
閾値をＳと定めたとすると、出力画像と記憶出力画像の全ての画素の特徴量が完全に同一であると判断された場合に、出力画像と記憶出力画像とが同一であると判断されることになる。また、閾値をＳ−１と定めたとすると、出力画像と記憶出力画像とが若干異なっていても、出力画像と記憶出力画像とが同一であると判断されることになる。
【００８７】
若干異なっている場合とは、例えば、出力画像をキャプチャする際に、当該出力画像にマウスのポインタが含まれている場合がある。この場合には、出力画像のマウスのポインタの位置と、記憶出力画像のマウスのポインタの位置とが、異なっていたとしても、当該出力画像と記憶出力画像は実質的には同一であるので、出力画像と記憶出力画像とを同一と判断することが出来る。
【００８８】
判断手段３００の判断ブロックを用いた判断処理は、あくまでも一例であり、他の手法を用いるようにしてもよい。また、判断ブロックを用いた判断処理を行うことで、出力画像と記憶出力画像とが同一であるか否かを判断するだけではなく、出力画像位置と記憶出力画像位置とが異なるか否かを判断することが出来る。
［算出手段３０８による差分距離ｄの算出処理］
次に、算出手段３０８による、差分距離ｄの算出処理の一例について説明する。図１８に示すように、算出手段３０８は、記憶出力画像が新たに記憶される毎、または、記憶出力画像が更新される毎に、検査領域のＸ座標、Ｙ座標が定められる。例えば、記憶出力画像Ｘ'であれば検査領域はＸ座標については４０〜５０、Ｙ座標については３０〜６０とされている。当該検査領域は、記憶出力画像の特徴量（ＲＧＢ値や濃度）が高い部分が選ばれることが好ましい。
【００８９】
そして、算出手段３０８は、図１９に示すように、出力画像の全領域のうち、記憶出力画像の検査領域の特徴量が等しい領域を検索する。そして検索された領域を、記憶出力画像の検査領域として、当該記憶出力画像の検査領域と、出力画像の検査領域（つまり検索された領域）との差分距離ｄを算出する。このようにして差分距離ｄを算出することが出来る。
［背景画像について］
また本実施例の表示制御装置２００には様々なアプリケーション（以下、「アプリ」という。）をダウンロードさせることが出来る。このようなアプリケーションの中には、表示制御装置２００の操作画像（メニュー画像）を表示させることが出来るアプリがある。以下では、当該アプリにより表示される画像を背景画像（アプリ画像ともいう）という。図２０にレイヤ構成の一例を示す。
【００９０】
図２０の例では、背景画像レイヤ４００、出力画像キャプチャレイヤ４１０、描画レイヤ４２０と、が示されている。背景画像レイヤ４００は、背景画像を表示するレイヤである。出力画像レイヤは、出力画像を表示するレイヤである。描画レイヤは描画画像を表示するレイヤである。
【００９１】
図２０の例では、操作画面が出力画像や描画画像に隠れることを防止するために、背景画像キャプチャレイヤを最上層に位置させる。３つのレイヤを合成した画像が表示手段２０２に表示させる表示画像４３０となる。
【００９２】
そして、図２１Ａに示すように、出力画像Ｚを出力している場合に、図２１Ｂに示すように、背景画像Ｚを表示させる場合には、ユーザは、画像Ｘをスクロール移動させる場合がある。このようなスクロール移動がされた場合にも、実施形態２で説明した構成を用いることで描画画像を当該スクロール移動に追従させるようにすることが出来る。
【符号の説明】
【００９３】
１００        情報処理装置
２００        表示制御装置
２０２        表示手段
２０２ａ      表示領域
２０４        載置台
２０６        プリンタ収容手段
２０８        ビデオ収容手段
２１０        コンピュータ収容手段
２５０        制御手段
２５２        主記憶手段
２５４        補助記憶手段
２５６        外部記憶装置Ｉ／Ｆ手段
２５９        外部機器接続Ｉ／Ｆ手段
２６０        ネットワークＩ／Ｆ手段
２６２        操作手段
３００        判断手段
３０２        表示制御手段
３０４        記憶制御手段
３０６        検出手段
３０８        算出手段
【先行技術文献】
【特許文献】
【００９４】
【特許文献１】特開２０１１−１４１８３５号公報
【図１】
2013137735.tif 000003
【図２】
2013137735.tif 000004
【図３】
2013137735.tif 000005
【図４】
2013137735.tif 000006
【図５】
2013137735.tif 000007
【図６】
2013137735.tif 000008
【図７】
2013137735.tif 000009
【図８】
2013137735.tif 000010
【図９】
2013137735.tif 000011
【図１０】
2013137735.tif 000012
【図１１】
2013137735.tif 000013
【図１２】
2013137735.tif 000014
【図１３】
2013137735.tif 000015
【図１４】
2013137735.tif 000016
【図１５】
2013137735.tif 000017
【図１６】
2013137735.tif 000018
【図１７】
2013137735.tif 000019
【図１８】
2013137735.tif 000020
【図１９】
2013137735.tif 000021
【図２０】
2013137735.tif 000022
【図２１】
2013137735.tif 000023